(57)【要約】【課題】ヘッドの製造工程に別途の工程を必要とせずにアンテナ効果を減少させることができるポール構造を備える磁気記録ヘッドを提供する。【解決手段】リターンポール１４と、リターンポール１４と所定間離隔されて位置する記録ポール１１と、記録ポール１１に磁場を形成する誘導記録コイル１６と、記録ポール１１と同一平面に形成される記録ポールシールド１７と、を備える磁気記録ヘッド１０である。【選択図】図１
2006147136.tif 000002
【特許請求の範囲】
【請求項１】
リターンポールと、
前記リターンポールと所定間離隔されて位置する記録ポールと、
前記記録ポールに磁場を形成する誘導記録コイルと、
前記記録ポールと同一平面に形成される記録ポールシールドと、
を備えることを特徴とする磁気記録ヘッド。
【請求項２】
前記磁気記録ヘッドは、垂直磁気記録ヘッドであることを特徴とする請求項１に記載の磁気記録ヘッド。
【請求項３】
前記記録ポールシールドは、前記記録ポールと所定間隔を隔てて形成されていることを特徴とする請求項１に記載の磁気記録ヘッド。
【請求項４】
前記記録ポールシールドの端面の面積は、前記記録ポールの端面の面積に比べて広いことを特徴とする請求項１に記載の磁気記録ヘッド。
【請求項５】
前記記録ポールシールドは、磁性体であることを特徴とする請求項１に記載の磁気記録ヘッド。
【請求項６】
前記記録ポールシールドは、前記記録ポールと同時に製作されることを特徴とする請求項１に記載の磁気記録ヘッド。
【請求項７】
前記記録ポールシールドは、前記記録ポールと同一の材質よりなることを特徴とする請求項１に記載の磁気記録ヘッド。
【請求項８】
記録ポールと、前記記録ポールと所定間隔離隔されて位置するリターンポールと、前記記録ポールに磁場を形成する誘導記録コイルと、を備える磁気記録ヘッドであって、
前記リターンポールと同一平面にリターンポールシールドが形成されることを特徴とする磁気記録ヘッド。
【請求項９】
前記記録ポールと同一平面に形成される記録ポールシールドをさらに備えることを特徴とする請求項８に記載の磁気記録ヘッド。
【請求項１０】
前記磁気記録ヘッドは、垂直磁気記録ヘッドであることを特徴とする請求項８に記載の磁気記録ヘッド。
【請求項１１】
前記リターンポールシールドは、前記リターンポールと所定間隔を隔てて形成されていることを特徴とする請求項８に記載の磁気記録ヘッド。
【請求項１２】
前記リターンポールシールドの端面の面積は、前記リターンポールの端面の面積に比べて広いことを特徴とする請求項８に記載の磁気記録ヘッド。
【請求項１３】
前記リターンポールシールドは、磁性体であることを特徴とする請求項８に記載の磁気記録ヘッド。
【請求項１４】
前記リターンポールシールドは、前記リターンポールと同時に製作されることを特徴とする請求項８に記載の磁気記録ヘッド。
【請求項１５】
前記リターンポールシールドは、前記リターンポールと同一の材質よりなることを特徴とする請求項８に記載の磁気記録ヘッド。
【請求項１６】
リターンポールと、前記リターンポールと所定間隔離隔されて位置する記録ポールと、前記記録ポールに磁場を形成する誘導記録コイルと、前記リターンポールと所定間隔離隔されて位置する再生センサと、前記再生センサの上下部にそれぞれ所定間隔離隔されて位置するトップシールド及びボトムシールドと、を備える磁気記録ヘッドであって、
前記トップシールドと同一平面及び／又は前記ボトムシールドと同一平面に第２のシールドが形成されることを特徴とする磁気記録ヘッド。
【請求項１７】
前記トップシールドと同一平面に第２のトップシールドが形成され、前記ボトムシールドと同一平面に第２のボトムシールドが形成されていることを特徴とする請求項１６に記載の磁気記録ヘッド。
【請求項１８】
前記第２のシールドは、前記トップシールド又は前記ボトムシールドと所定間隔を隔てて形成されていることを特徴とする請求項１６に記載の磁気記録ヘッド。
【請求項１９】
前記第２のシールドの端面の面積は、前記トップシールド又は前記ボトムシールドの端面の面積に比べて広いことを特徴とする請求項１６に記載の磁気記録ヘッド。
【請求項２０】
前記第２のシールドは、磁性体であることを特徴とする請求項１６に記載の磁気記録ヘッド。
【請求項２１】
前記第２のシールドは、前記トップシールド又は前記ボトムシールドと同時に製作されることを特徴とする請求項１６に記載の磁気記録ヘッド。
【請求項２２】
前記第２のシールドは、前記トップシールド又は前記ボトムシールドと同一の材質よりなることを特徴とする請求項１６に記載の磁気記録ヘッド。
【請求項２３】
前記磁気記録ヘッドは、垂直磁気記録ヘッドであることを特徴とする請求項１６に記載の磁気記録ヘッド。
【請求項２４】
前記リターンポールと同一平面に形成されるリターンポールシールドをさらに備えることを特徴とする請求項１６に記載の磁気記録ヘッド。
【請求項２５】
前記記録ポールと同一平面に形成される記録ポールシールドをさらに備えることを特徴とする請求項１６に記載の磁気記録ヘッド。
【請求項２６】
前記リターンポールと同一平面に形成されるリターンポールシールドと、前記記録ポールと同一平面に形成される記録ポールシールドとをさらに備えることを特徴とする請求項１６に記載の磁気記録ヘッド。
【発明の詳細な説明】
【技術分野】
【０００１】
本発明は、磁気記録ヘッドに係り、より詳しくは、アンテナ効果を減少させるポール構造を備える磁気記録ヘッドに関する。
【背景技術】
【０００２】
磁気情報記録分野で記録密度を向上させるため垂直磁気記録方式についての研究が進行されている。垂直磁気記録方式は、記録媒体の磁化方向を記録面に対して垂直に配向し、既存の水平磁気記録方式に比べて記録密度を向上させて記録媒体に情報を記録する方式である。
【０００３】
磁気記録方式に適用されるヘッドにおいては、ヘッドのアンテナ効果によって記録媒体に誤った情報が記録し、或いは既に記録されている情報を消去するといった問題が発生する可能性がある。アンテナ効果とは、外部磁場がヘッドに流入してヘッドの特定部位、例えば、ヘッド先端部に所望しない外部磁場が集中する現象である。このような外部磁場は、磁気回路を提供するアクチュエータ及びこれを駆動させるＶＣＭ（Ｖｏｉｃｅ  Ｃｏｉｌ  Ｍｏｔｏｒ）から主に発生するストレイフィールドである。ヘッドの記録チップの面積が狭くて、外部磁場に非常に敏感に反応する垂直磁気記録方式においては、このようなアンテナ効果が、特に問題になる。
【０００４】
特許文献１は、このようなアンテナ効果を減少させるための構造を備えるヘッドの一例を開示している。特許文献１で開示されたヘッドは、記録媒体の表面にその先端部が近接する磁気シールド層を備える。この磁気シールド層は、ヘッドに流入された外部磁場を分散させて、記録ポール及びリターンポールに外部磁場が集中することを防止することによって、アンテナ効果を減少させる。これ以外にも、アンテナ効果を減らすための従来の方式には、リターンポールを除去するか、或いは記録ポールとリターンポールとを分離する方式などがある。
【０００５】
しかしながら、アンテナ効果を減らすためのこのような従来方式は、ヘッドの製造工程において、アンテナ効果を減らす構造を形成する工程が必要となる。従って、ヘッドの製造工程が複雑になり、アンテナ効果を減らす構造を形成する工程に投入されるコスト及び時間が増加する。
【０００６】
また、このような方式は、記録部についての外部磁場の影響のみを考慮していて、再生部から発生するアンテナ効果を同時に減少させることができない。
【特許文献１】大韓民国特許公開第１０−２００２−００４１５７８号公報
【発明の開示】
【発明が解決しようとする課題】
【０００７】
本発明の技術的課題は、ヘッドの製造工程に別途の工程を必要とせずにアンテナ効果を減少させることができるポール構造を備える磁気記録ヘッドを提供するところにある。
【０００８】
また、本発明の他の技術的課題は、記録部及び再生部のアンテナ効果を同時に減少させることができる磁気記録ヘッドを提供するところにある。
【課題を解決するための手段】
【０００９】
前記技術的課題を達成するために本発明に係る磁気記録ヘッドは、リターンポールと、前記リターンポールと所定間離隔されて位置する記録ポールと、前記記録ポールに磁場を形成する誘導記録コイルと、前記記録ポールと同一平面に形成される記録ポールシールドと、を備える。
【００１０】
前記磁気記録ヘッドは、垂直磁気記録ヘッドであることが好ましい。
【００１１】
前記記録ポールシールドは、前記記録ポールと所定間隔を隔てて形成されていることが好ましい。
【００１２】
前記記録ポールシールドの端面の面積は、前記記録ポールの端面の面積に比べて広いことが好ましい。
【００１３】
前記記録ポールシールドは、磁性体であることが好ましい。
【００１４】
前記記録ポールシールドは、前記記録ポールと同時に製作されることが好ましい。
【００１５】
前記記録ポールシールドは、前記記録ポールと同一の材質よりなることが好ましい。
【００１６】
前記技術的課題を達成するために本発明に係る磁気記録ヘッドは、記録ポールと、前記記録ポールと所定間隔離隔されて位置するリターンポールと、前記記録ポールに磁場を形成する誘導記録コイルと、を備える磁気記録ヘッドであって、前記リターンポールと同一平面にリターンポールシールドが形成される構成であってもよい。
【００１７】
前記記録ポールと同一平面に形成される記録ポールシールドをさらに備えることが好ましい。
【００１８】
前記磁気記録ヘッドは、垂直磁気記録ヘッドであることが好ましい。
【００１９】
前記リターンポールシールドは、前記リターンポールと所定間隔を隔てて形成されていることが好ましい。
【００２０】
前記リターンポールシールドの端面の面積は、前記リターンポールの端面の面積に比べて広いことが好ましい。
【００２１】
前記リターンポールシールドは、磁性体であることが好ましい。
【００２２】
前記リターンポールシールドは、前記リターンポールと同時に製作されることが好ましい。
【００２３】
前記リターンポールシールドは、前記リターンポールと同一の材質よりなることが好ましい。
【００２４】
前記技術的課題を達成するために本発明に係る磁気記録ヘッドは、リターンポールと、前記リターンポールと所定間隔離隔されて位置する記録ポールと、前記記録ポールに磁場を形成する誘導記録コイルと、前記リターンポールと所定間隔離隔されて位置する再生センサと、前記再生センサの上下部にそれぞれ所定間隔離隔されて位置するトップシールド及びボトムシールドと、を備える磁気記録ヘッドであって、前記トップシールドと同一平面及び／又は前記ボトムシールドと同一平面に第２のシールドが形成される構成であってもよい。
【００２５】
前記トップシールドと同一平面に第２のトップシールドが形成され、前記ボトムシールドと同一平面に第２のボトムシールドが形成されていることが好ましい。
【００２６】
前記第２のシールドは、前記トップシールド又は前記ボトムシールドと所定間隔を隔てて形成されていることが好ましい。
【００２７】
前記第２のシールドの端面の面積は、前記トップシールド又は前記ボトムシールドの端面の面積に比べて広いことが好ましい。
【００２８】
前記第２のシールドは、磁性体であることが好ましい。
【００２９】
前記第２のシールドは、前記トップシールド又は前記ボトムシールドと同時に製作されることが好ましい。
【００３０】
前記第２のシールドは、前記トップシールド又は前記ボトムシールドと同一の材質よりなることが好ましい。
【００３１】
前記磁気記録ヘッドは、垂直磁気記録ヘッドであることが好ましい。
【００３２】
前記リターンポールと同一平面に形成されるリターンポールシールドをさらに備えることが好ましい。
【００３３】
前記記録ポールと同一平面に形成される記録ポールシールドをさらに備えることが好ましい。
【００３４】
前記リターンポールと同一平面に形成されるリターンポールシールドと、前記記録ポールと同一平面に形成される記録ポールシールドとをさらに備えることが好ましい。
【発明の効果】
【００３５】
本発明に係る磁気記録ヘッドによれば、記録ポールと同一平面に記録ポールシールドが形成されて外部磁場を分散することによって、記録ポールから発生するアンテナ効果を減少させることができる。
【００３６】
また、本発明に係る磁気記録ヘッドによれば、リターンポールと同一平面にリターンポールシールドが形成されて外部磁場を分散することによって、リターンポールから発生するアンテナ効果を減少させることができる。
【００３７】
また、本発明に係る磁気記録ヘッドによれば、トップシールド及び／又はボトムシールドと同一平面に第２のトップシールド及び／又は第２のボトムシールドが形成されて外部磁場を分散することによって、トップシールド及び／又はボトムシールドから発生するアンテナ効果を減少させることができる。
【００３８】
また、本発明に係る磁気記録ヘッドによれば、記録ポールシールド、リターンポールシールド、第２のトップシールド及び／又は第２のボトムシールドは、ヘッドの製作工程中それぞれ記録ポール、リターンポール、トップシールド及び／又はボトムシールドと同時に製作されるため、別途の製作工程を必要としないで、各ポールでアンテナ効果を減少させることができる。
【００３９】
また、本発明に係る磁気記録ヘッドによれば、記録ポールシールドと、第２のトップシールド及び／又は第２のボトムシールドを共に備えて、記録ポールだけではなく、トップシールド及び／又はボトムシールドから発生するアンテナ効果を同時に減少させることができる。
【発明を実施するための最良の形態】
【００４０】
以下、添付した図面に基づき本発明の好適な実施形態による磁気記録ヘッドを詳細に説明する。本実施形態は、垂直磁気記録ヘッドに係るが、本発明の思想は、水平磁気記録ヘッドにも適用可能である。以下の図面で同一な符号は、同一な構成を示すものとする。
【００４１】
図１は、本発明に係る磁気記録ヘッドの記録部についての垂直断面を示す斜視図である。図２は、図１に表示されたＡ部分の拡大図であり、図３は、本発明に係る磁気記録ヘッドの記録ポールと記録ポールシールドとを概略的に示す平面図である。
【００４２】
図１〜図３に示すように、本発明に係る磁気記録ヘッド１０は、アクチュエータ（図示せず）の先端部に設けられ、アクチュエータの回動運動によって記録媒体上の所望のトラック位置に移動して記録及び再生作業を行うものである。
【００４３】
磁気記録ヘッド１０は、記録媒体に漏れ磁束を形成するための記録ポール１１とリターンポール１４及び電流供給手段である誘導記録コイル１６を備える。図３における符号１９は、外部磁場であり、符号２０は、分散されて記録ポールシールド１７を経由した外部磁場である。記録ポール１１の端面Ｓ１は、磁気記録媒体（図示せず）に情報を記録再生する際に磁気記録媒体と平行になる先端部１２の面である。
【００４４】
リターンポール１４は、連結部１３によって連結されて、記録ポール１１と所定の距離離隔されている。記録ポール１１は、先端部１２を通じて漏れ磁束を形成して軟磁性膜の上部に記録層を形成させた情報記録媒体（図示せず）に情報を記録する。
【００４５】
また、磁気記録ヘッド１０は、記録ポール１１と同一平面に形成される記録ポールシールド１７を備える。記録ポールシールド１７は、外部磁場を分散して、記録ポール１１にアンテナ効果が発生することを減少させる。詳細に説明すれば、ハードディスクドライブの外部から伝えられるか、ハードディスクドライブの内部に設けられたＶＣＭなどから発生する外部磁場が磁気記録ヘッド１０に伝達されると、外部磁場は、記録ポールシールド１７と記録ポール１１とに分散される。従って、記録ポール１１への外部磁気集中が抑制されて、記録ポール１１から発生するアンテナ効果が減少する。記録ポールシールド１７の端面Ｓ２は磁気記録媒体に情報を記録再生する際に磁気記録媒体の記録面と平行になる面である。
【００４６】
この際、記録ポールシールド１７と記録ポール１１は、所定間隔を置いて分離されていて、外部磁場の大部分は、記録ポールシールド１７に迂回し、一部磁場のみが記録ポール１１を経由する。従って、記録ポール１１での外部磁場の強度は、さらに弱くなるため、記録ポール１１のアンテナ効果はさらに減少する。
【００４７】
ここで、記録ポールシールド１７の端面Ｓ２の面積は、記録ポール１１の端面Ｓ１の面積に比べて広く形成されることが好ましい。そして、記録ポールシールド１７は、磁性体で形成されることが好ましい。このように形成されることによって、記録ポールシールド１７による磁気分散効果がさらに大きくなって、記録ポール１１のアンテナ効果がさらに減少する。
【００４８】
このように、記録ポールシールド１７は、記録ポール１１と同一平面に形成され、記録ポール１１と同一の材質よりなることが好ましい。従って、記録ポールシールド１７を、記録ポール１１の製作工程中に記録ポール１１と同時に製作することが可能であるため、磁気記録ヘッド１０の製作工程に別の製作工程を必要としないでアンテナ効果を減少させることができる。
【００４９】
一方、本発明による他の実施形態によれば、リターンポール１４と同一平面にリターンポールシールドをさらに備えることも可能である。記録ポールシールド１７と同様に、リターンポールシールドは、リターンポール１４に伝達される外部磁場を分散して、リターンポール１４のアンテナ効果を減少させる。
【００５０】
ここで、リターンポールシールドは、リターンポール１４と所定間隔分離されていることが好ましい。リターンポールシールドの端面Ｓ３の面積は、リターンポール１４の端面Ｓ４の面積に比べて広いことが好ましい。リターンポールシールドは、磁性体であることが好ましい。リターンポールシールドを、リターンポール１４と同時に製作することも可能である。リターンポールシールドは、リターンポール１４と同一の材質よりなることができる。
【００５１】
図４は、本発明に係る磁気記録ヘッドの他の実施形態による記録部と再生部とについての垂直断面を示す斜視図である。図５は、図４で提示された実施形態によるトップシールドと第２のトップシールドとを概略的に示す平面図である。図５は、トップシールド２２と第２のトップシールド２６を示しているが、これは、ボトムシールド２４と第２のボトムシールド２７にも同一に適用される。
【００５２】
図４及び図５に示すように、本発明に係る磁気記録ヘッド１０´は、リターンポール１４と、記録ポール１１と、誘導記録コイル１６と、再生センサ２１と、トップシールド２２と、ボトムシールド２４と、リターンポールシールド２５と、を備える。なお、磁気記録ヘッド１０と同一の構成については、同一の符号を付し、その説明は省略する。
【００５３】
記録ポール１１は、リターンポール１４と所定間隔離隔されて形成され、誘導記録コイル１６は、記録ポール１１に磁場の形成を誘導する。センサ２１は、リターンポール１４と所定間隔離隔されており、記録媒体（図示せず）に保存されている情報を読み取る。トップシールド２２及びボトムシールド２４は、再生センサ２１の上下部にそれぞれ所定間隔離隔されて位置する。再生センサ２１の情報再生作業時、トップシールド２２及びボトムシールド２４によって、最生センサ２１は、記録媒体上の再生しようとする部分以外の他の部分と相互間に影響を及ぼさないため、正確な再生作業がなされる。
【００５４】
本実施形態で、リターンポール１４と同一平面にリターンポールシールド２５を、トップシールド２２と同一平面に第２のトップシールド２６を、ボトムシールド２４と同一平面に第２のボトムシールド２７をさらに備える。リターンポール１４と同一平面にリターンポールシールド２５が形成されて外部磁場を分散することによって、リターンポール１４から発生するアンテナ効果を減少させることができる。なお、リターンポールシールド２５と第２のトップシールド２６を備える構成、リターンポールシールド２５と第２のボトムシールド２７を備える構成、第２のトップシールド２６と第２のボトムシールド２７を備える構成、リターンポールシールド２５、第２のトップシールド２６または第２のボトムシールド２７のいずれか１つを備える構成であってもよい。ここで、記録ポール１１と同一平面に記録ポールシールド１７が形成されることが好ましい。リターンポール１４の端面Ｓ３は、磁気記録媒体（図示せず）に情報を記録再生する際に磁気記録媒体の記録面と平行になる面である。リターンポールシールド２５の端面Ｓ４は、磁気記録媒体に情報を記録再生する際に磁気記録媒体の記録面と平行になる面である。トップシールド２２の端面Ｓ５は、磁気記録媒体（図示せず）に情報を記録再生する際に磁気記録媒体の記録面と平行になる面である。第２トップシールド２６の端面Ｓ６は、磁気記録媒体に情報を記録再生する際に磁気記録媒体の記録面と平行になる面である。ボトムシールド２４の端面Ｓ７は、磁気記録媒体（図示せず）に情報を記録再生する際に磁気記録媒体の記録面と平行になる面である。第２ボトムシールド２７の端面Ｓ８は、磁気記録媒体に情報を記録再生する際に磁気記録媒体の記録面と平行になる面である。
【００５５】
このように、記録ポールシールド１７は、外部磁場を分散して、記録ポール１１にアンテナ効果が発生することを減少させる。これと同様に、第２のトップシールド２６及び／又は第２のボトムシールド２７は、トップシールド２２及びボトムシールド２４に伝達される外部磁場を分散させて、トップシールド２２及びボトムシールド２４にアンテナ効果が発生することを減少させる。詳細に説明すれば、ハードディスクドライブの外部から伝えられるか、或いはハードディスクドライブの内部に設けられたＶＣＭなどから発生する外部磁場が磁気記録ヘッド１０に伝達されれば、外部磁場は、第２のトップシールド２６及び／又は第２のボトムシールド２７と、トップシールド２２及び／又はボトムシールド２４とに分散される。従って、トップシールド２２及び／又はボトムシールド２４への外部磁気集中が抑制され、トップシールド２２及びボトムシールド２４から発生するアンテナ効果が減少される。
【００５６】
この際、第２のトップシールド２６及び／又は第２のボトムシールド２７とトップシールド２２及び／又はボトムシールド２４は、所定間隔を置いて分離されていて、外部磁場の大部分は、第２のトップシールド２６及び／又は第２のボトムシールド２７を経由し、少量の磁場のみがトップシールド２２及び／又はボトムシールド２４を経由する。従って、トップシールド２２及び／又はボトムシールド２４での外部磁場の強度はさらに弱くなるため、アンテナ効果はさらに減少する。図５における符号２８は、外部磁場を、符号２９は、分散された外部磁場を示す。
【００５７】
ここで、第２のトップシールド２６端面Ｓ６の面積及び第２のボトムシールド２７の端面Ｓ８の面積は、それぞれトップシールド２２端面Ｓ５の面積及びボトムシールド２４の端面Ｓ７の面積に比べて広く形成されることが好ましい。そして、第２のトップシールド２６及び第２のボトムシールド２７は、磁性体であることが好ましい。このように、第２のトップシールド２６及び第２のボトムシールド２７は、トップシールド２２及びボトムシールド２４と同一平面に形成される。そして、第２のトップシールド２６及び第２のボトムシールド２７は、トップシールド２２及びボトムシールド２４と同一の材質よりなることが好ましい。従って、第２のトップシールド２６及び第２のボトムシールド２７を、トップシールド２２及びボトムシールド２４の製作工程中にトップシールド２２及びボトムシールド２４と同時に製作可能であるため、磁気記録ヘッド１０の製作工程に別の製作工程を必要としないで、アンテナ効果を減少させることができる。このように形成することによって、第２のトップシールド２６及び第２のボトムシールド２７による磁気分散効果がさらに大きくでき、トップシールド２２及びボトムシールド２４のアンテナ効果をさらに減少させることが可能である。
【００５８】
図６は、図９に示す従来の磁気記録ヘッドの記録ポールの外部磁場（４０Ｇａｕｓｓ）による磁界分布をシミュレーションした図面である。図７は、図１に示す磁気記録ヘッドの記録ポールの外部磁場による磁界分布をシミュレーションした図面である。
ここで、図９は、従来の磁気記録ヘッドの記録部についての垂直断面を示す斜視図である。
図９に示す従来の磁気記録ヘッド１００は、記録ポール１１、連結部１３、リターンポール１４及び誘電記録コイル１６を備える。磁気記録ヘッド１００は、記録ポールシールド１７を備えていないこと以外は磁気記録ヘッド１０と同一の構成をとるので詳細な説明は省略する。
【００５９】
図６に示すように、一般的な磁気記録ヘッドの記録ポールの周囲に外部磁気による磁場が形成され、磁束が大きく増幅されている。このように増幅された磁束は、記録媒体に影響を及ぼして、既に記録されたパターンを消すか、或いは所望しないパターンを記録する。
【００６０】
図７に示すように、本発明に係る磁気記録ヘッドの記録ポールの周囲には、外部磁気による磁場が殆ど形成されず、記録ポールシールド周囲に弱い磁場が形成される。このように、外部磁場が記録ポールと記録ポールシールドとに分散されて、記録ポールには、殆ど影響を与えず、記録ポールシールドへの影響も少ない。したがって、記録ポールのアンテナ効果は顕著に減少されることが分かる。
【００６１】
図８は、４０Ｇａｕｓｓの外部磁場印加時の本発明及び従来技術による磁気記録ヘッドから出る磁場を電磁場解析技法によって、トラックに沿う方向に相互比較したグラフである。ここで、グラフに表示されたＮｏ  Ｓｉｄｅは、従来技術による磁気記録ヘッドについてのグラフを意味し、Ｓｉｄｅは、本発明に係る磁気記録ヘッドについてのグラフを意味する。そして、グラフの横軸は、磁気記録ヘッドの先端部を基準とし、対向する磁気ディスクのトラックに沿う方向に測定する距離を示し、グラフの縦軸は、各距離に対応するヘッド部分での磁場の強度を示す。従って、図８の０μｍ〜３μｍ部分は、リターンポールが形成された部分であり、５．５μｍ〜６．５μｍ部分は、記録ポールが形成された部分である。
【００６２】
図８に示すように、本発明に係る磁気記録ヘッドのリターンポールと記録ポールでの磁場が従来技術による磁気記録ヘッドのリターンポールと記録ポールでの磁場に比べて減少することが分かる。即ち、本発明に係る磁気記録ヘッドは、記録ポール及びリターンポールとそれぞれ同一平面に形成される記録ポールシールド及びリターンポールシールドを備えるものであって、従来技術に比べて外部磁場が分散されて、各ポールから発生するアンテナ効果が減少することが分かる。
【００６３】
図６〜図８は、記録ポールに対する実験結果であるが、リターンポール及び再生ポールについても同一な結果を得ることができる。
【００６４】
本発明は、図面に示された実施形態を参考に説明したが、これは例示的なことに過ぎず、当業者であればこれより多様な変形及び均等な他の実施形態が可能であるという点を理解するであろう。したがって、本発明の真の技術的範囲は、特許請求の範囲によって決まるものである。
【図面の簡単な説明】
【００６５】
【図１】本発明に係る磁気記録ヘッドの記録部についての垂直断面を示す斜視図である。
【図２】図１に表示されたＡ部分の拡大図である。
【図３】本発明に係る磁気記録ヘッドの記録ポールと記録ポールシールドとを概略的に示す平面図である。
【図４】本発明に係る磁気記録ヘッドの他の実施形態による記録部と再生部とについての垂直断面を示す斜視図である。
【図５】図４で提示された実施形態によるトップシールドと第２のトップシールドとを概略的に示す平面図である。
【図６】一般的な磁気記録ヘッドの記録ポールの外部磁場（４０Ｇａｕｓｓ）による磁界分布をシミュレーションした図面である。
【図７】本発明に係る磁気記録ヘッドの記録ポールの外部磁場による磁界分布をシミュレーションした図面である。
【図８】４０Ｇａｕｓｓの外部磁場印加時の本発明及び従来技術による磁気記録ヘッドから出る磁場を電磁場解析技法によって、トラックに沿う方向に相互比較したグラフである。
【図９】従来の磁気記録ヘッドの記録部についての垂直断面を示す斜視図である。
【符号の説明】
【００６６】
１０    磁気記録ヘッド
１１    記録ポール
１２    先端部
１３    連結部
１４    リターンポール
１６    誘導記録コイル
１７    記録ポールシールド
１９，２０  外部磁場
【図１】
2006147136.tif 000003
【図２】
2006147136.tif 000004
【図３】
2006147136.tif 000005
【図４】
2006147136.tif 000006
【図５】
2006147136.tif 000007
【図８】
2006147136.tif 000008
【図９】
2006147136.tif 000009
【図６】
2006147136.tif 000010
【図７】
2006147136.tif 000011